(57)【要約】【課題】個人番号を精度よく取得する。【解決手段】個人番号管理装置１は、ユーザ端末２の表示部に表示される入力領域を介して個人番号の入力を受け付ける入力受付部１２１と、入力領域を介さずに個人番号を取得する取得部１２２と、入力受付部１２１が受け付けた個人番号と、取得部１２２が取得した個人番号とが異なるか否かを判定する判定部１２３と、それぞれの個人番号が異なると判定部１２３が判定すると、入力受付部１２１が受け付けた個人番号に誤りがある可能性を示す警告情報をユーザ端末２の表示部に表示させる表示制御部１２４と、を備える。【選択図】図２
2017058965.tif 000002
【特許請求の範囲】
【請求項１】
ユーザ端末の表示部に表示される入力領域を介してユーザの個人番号の入力を受け付ける入力受付部と、
前記入力領域を介さずに前記ユーザの個人番号を取得する取得部と、
前記入力受付部が受け付けた個人番号と、前記取得部が取得した個人番号とが異なるか否かを判定する判定部と、
それぞれの個人番号が異なると前記判定部が判定すると、前記入力受付部が受け付けた個人番号に誤りがある可能性を示す警告情報を前記表示部に表示させる表示制御部と、
を備える個人番号管理装置。
【請求項２】
前記個人番号にはチェックディジットが格納されており、
前記判定部は、前記取得部が取得した個人番号に基づいてチェックディジットを算出し、当該チェックディジットと、当該個人番号に格納されているチェックディジットとに基づいて当該個人番号が正しいと判定した場合に、前記入力受付部が受け付けた個人番号と、前記取得部が取得した個人番号とが異なるか否かを判定する、
請求項１に記載の個人番号管理装置。
【請求項３】
前記取得部が取得した個人番号が正しいと前記判定部が判定した場合において、前記入力領域に個人番号が入力されていないとき、前記入力領域に前記取得部が取得した個人番号を入力する番号入力部をさらに備える、
請求項２に記載の個人番号管理装置。
【請求項４】
前記取得部は、前記ユーザ端末から、個人番号が表示された画像を取得し、当該画像に表示されている個人番号を光学文字認識処理によって読み取ることにより当該個人番号を取得し、
前記ユーザ端末から、前記入力領域に入力された個人番号と、前記取得部が取得した画像との登録申請を受け付ける申請受付部と、
前記登録申請を受け付けたことに応じて、前記入力領域に入力された個人番号と、前記画像とを管理端末の表示部に表示させ、当該登録申請の承認を受け付ける承認受付部と、
前記承認を受け付けたことに応じて、前記入力領域に入力された個人番号と、前記取得部が取得した画像とを記憶部に記憶させる記憶制御部とをさらに備える、
請求項１から３のいずれか１項に記載の個人番号管理装置。
【請求項５】
前記表示制御部は、前記判定部がそれぞれの個人番号が異なると判定した状態において前記登録申請が受け付けられた場合、前記管理端末の表示部に前記警告情報を表示させる、
請求項４に記載の個人番号管理装置。
【請求項６】
前記表示制御部は、前記取得部が前記画像に表示されている個人番号を読み取れた場合と、前記取得部が前記画像に表示されている個人番号を読み取れなかった場合とで、前記登録申請の承認の受付時に前記管理端末の表示部に表示させる情報を変化させる、
請求項４又は５に記載の個人番号管理装置。
【請求項７】
コンピュータにより実行される、
ユーザ端末の表示部に表示される入力領域を介してユーザの個人番号の入力を受け付けるステップと、
前記入力領域を介さずに前記ユーザの個人番号を取得するステップと、
前記入力領域を介して入力を受け付けた個人番号と、前記入力領域を介さずに取得した個人番号とが異なるか否かを判定するステップと、
前記判定するステップにおいてそれぞれの個人番号が異なると判定すると、前記入力領域を介して入力を受け付けた個人番号に誤りがある可能性を示す警告情報を前記表示部に表示させるステップと、
を備える個人番号管理方法。
【発明の詳細な説明】
【技術分野】
【０００１】
本発明は、個人番号管理装置及び個人番号管理方法に関する。
【背景技術】
【０００２】
従来、名刺や申請書等の画像から個人情報を読み取ることが行われている。例えば、特許文献１には、名刺画像からテキスト情報が含まれる範囲を抽出し、当該範囲に光学文字認識（OCR：Optical Character Recognition）を適用して、テキスト情報を抽出する装置が開示されている。
【先行技術文献】
【特許文献】
【０００３】
【特許文献１】特開２００７−１６４７８５号公報
【発明の概要】
【発明が解決しようとする課題】
【０００４】
ところで、企業等において、法令で定められた個人番号をシステムで管理する場合、個人番号を正確にシステムに入力することが求められる。そこで、個人番号を管理するシステムにおいて、個人番号が付されたカードや、個人番号が記入された用紙等から、特許文献１のようにＯＣＲによって個人番号を抽出することが考えられる。しかしながら、ＯＣＲによって個人番号を抽出する場合、不正確な個人番号を取得してしまうおそれがある。また、個人番号の入力をユーザから受け付ける場合には、ユーザが個人番号を誤って入力してしまうおそれがある。
【０００５】
そこで、本発明はこれらの点に鑑みてなされたものであり、個人番号を精度よく取得することができる個人番号管理装置及び個人番号管理方法を提供することを目的とする。
【課題を解決するための手段】
【０００６】
本発明の第１の態様に係る個人番号管理装置は、ユーザ端末の表示部に表示される入力領域を介してユーザの個人番号の入力を受け付ける入力受付部と、前記入力領域を介さずに前記ユーザの個人番号を取得する取得部と、前記入力受付部が受け付けた個人番号と、前記取得部が取得した個人番号とが異なるか否かを判定する判定部と、それぞれの個人番号が異なると前記判定部が判定すると、前記入力受付部が受け付けた個人番号に誤りがある可能性を示す警告情報を前記表示部に表示させる表示制御部と、を備える。
【０００７】
前記個人番号にはチェックディジットが格納されており、前記判定部は、前記取得部が取得した個人番号に基づいてチェックディジットを算出し、当該チェックディジットと、当該個人番号に格納されているチェックディジットとに基づいて当該個人番号が正しいと判定した場合に、前記入力受付部が受け付けた個人番号と、前記取得部が取得した個人番号とが異なるか否かを判定してもよい。
【０００８】
前記個人番号管理装置は、前記取得部が取得した個人番号が正しいと前記判定部が判定した場合において、前記入力領域に個人番号が入力されていないとき、前記入力領域に前記取得部が取得した個人番号を入力する番号入力部をさらに備えてもよい。
【０００９】
前記取得部は、前記ユーザ端末から、個人番号が表示された画像を取得し、当該画像に表示されている個人番号を光学文字認識処理によって読み取ることにより当該個人番号を取得し、前記個人番号管理装置は、前記ユーザ端末から、前記入力領域に入力された個人番号と、前記取得部が取得した画像との登録申請を受け付ける申請受付部と、前記登録申請を受け付けたことに応じて、前記入力領域に入力された個人番号と、前記画像とを管理端末の表示部に表示させ、当該登録申請の承認を受け付ける承認受付部と、前記承認を受け付けたことに応じて、前記入力領域に入力された個人番号と、前記取得部が取得した画像とを記憶部に記憶させる記憶制御部とをさらに備えてもよい。
【００１０】
前記表示制御部は、前記判定部がそれぞれの個人番号が異なると判定した状態において前記登録申請が受け付けられた場合、前記管理端末の表示部に前記警告情報を表示させてもよい。
前記表示制御部は、前記取得部が前記画像に表示されている個人番号を読み取れた場合と、前記取得部が前記画像に表示されている個人番号を読み取れなかった場合とで、前記登録申請の承認の受付時に前記管理端末の表示部に表示させる情報を変化させてもよい。
【００１１】
本発明の第２の態様に係る個人番号管理方法は、コンピュータにより実行される、ユーザ端末の表示部に表示される入力領域を介してユーザの個人番号の入力を受け付けるステップと、前記入力領域を介さずに前記ユーザの個人番号を取得するステップと、前記入力領域を介して入力を受け付けた個人番号と、前記入力領域を介さずに取得した個人番号とが異なるか否かを判定するステップと、前記判定するステップにおいてそれぞれの個人番号が異なると判定すると、前記入力領域を介して入力を受け付けた個人番号に誤りがある可能性を示す警告情報を前記表示部に表示させるステップと、を備える。
【発明の効果】
【００１２】
本発明によれば、個人番号を精度よく取得することができるという効果を奏する。
【図面の簡単な説明】
【００１３】
【図１】本実施形態に係る個人番号管理装置の概要を示す図である。
【図２】本実施形態に係る個人番号管理装置の構成を示す図である。
【図３】個人情報記憶部に記憶されている情報の一例を示す図である。
【図４】個人番号記憶部に記憶されている情報の一例を示す図である。
【図５】個人番号管理装置が個人番号の登録申請を受け付けるまでの処理の流れを示すフローチャートである。
【図６Ａ】登録画面の一例を示す図である。
【図６Ｂ】登録画面に警告情報が表示された例を示す図である。
【図７】個人番号管理装置が個人番号の登録申請を受け付けてから個人番号を記憶するまでの処理の流れを示すフローチャートである。
【図８Ａ】承認画面の一例を示す図である。
【図８Ｂ】承認画面に警告情報が表示された第１の例を示す図である。
【図８Ｃ】承認画面に警告情報が表示された第２の例を示す図である。
【発明を実施するための形態】
【００１４】
［個人番号管理装置１の概要］
図１は、本実施形態に係る個人番号管理装置１の概要を示す図である。
個人番号管理装置１は、企業等に属する従業員等の個人番号を管理するサーバである。ここで、個人番号は、法令に基づいて行政機関によって国民に付与される１２桁の番号である。
【００１５】
個人番号管理装置１は、従業員等が使用するユーザ端末２に個人番号の入力領域を含む登録画面を表示させて、入力された個人番号を取得するとともに、個人番号が表示された画像を取得する（図１の（１））。ここで、本実施形態では、個人番号が表示された画像として、個人番号が表示された個人番号カードの画像（カード画像）を取得するものとするものとして説明を進める。
【００１６】
個人番号管理装置１は、カード画像を取得すると、カード画像に表示されている個人番号を光学文字認識処理によって読み取り（図１の（２））、入力領域に入力された個人番号と、読み取った個人番号とが異なるか否かを判定する（図１の（３））。
個人番号管理装置１は、２つの個人番号が異なると判定すると、個人番号の入力が誤っている可能性がある旨を示す警告情報をユーザ端末２に表示させる（図１の（４））。そして、個人番号管理装置１は、ユーザ端末２は、個人番号の修正を受け付ける。
【００１７】
このようにすることで、個人番号管理装置１は、個人番号の入力が誤っている可能性があることをユーザ端末２のユーザに認識させることができる。これにより、ユーザ端末２のユーザは個人番号を修正することとなるので、個人番号管理装置１は、個人番号を精度よく取得することができる。
【００１８】
その後、個人番号管理装置１は、個人番号の登録申請を受け付ける。個人番号管理装置１は、登録申請を受け付けると、入力された個人番号と、取得したカード画像とを管理端末３に表示させ、管理端末３のユーザから登録申請の承認を受け付ける。個人番号管理装置１は、登録申請の承認を受け付けると、個人番号及びカード画像を自身の記憶部に記憶する。
【００１９】
［個人番号管理装置１の構成］
続いて、個人番号管理装置１の構成について説明する。図２は、本実施形態に係る個人番号管理装置１の構成を示す図である。
【００２０】
個人番号管理装置１は、記憶部１１と、制御部１２とを備える。
記憶部１１は、例えば、ＲＯＭ、ＲＡＭ及びハードディスク等の記憶媒体である。記憶部１１は、制御部１２が実行するプログラムを記憶する。記憶部１１は、個人情報記憶部１１１と、個人番号記憶部１１２とを記憶する。
【００２１】
図３は、個人情報記憶部１１１に記憶されている情報の一例を示す図である。図３に示すように、個人情報記憶部１１１は、個人番号とは異なる個人情報と、キー情報とを関連付けて記憶する。
【００２２】
個人情報には、企業の従業員等を識別するユーザ識別情報としての社員番号、氏名、性別、生年月日、住所、本人確認書類を示す画像等の情報が含まれている。個人情報に含まれる社員番号、氏名、性別、生年月日、住所は、個人番号管理装置１により、企業が使用している既存サーバ（不図示）から予め取得され、個人情報記憶部１１１に記憶されている。
【００２３】
本人確認書類は、例えば、免許証や保険証やパスポート等である。本人確認書類を示す画像は、個人番号管理装置１が個人番号を記憶するときに、併せて記憶される。このため、個人番号が記憶されていないユーザについては、本人確認書類を示す画像が記憶されていない状態となる。以下、本人確認書類を示す画像を、本人確認画像という。
【００２４】
キー情報は、個人番号管理装置１が個人番号を記憶するときに、個人番号管理装置１が生成する情報である。このため、個人番号が記憶されていないユーザについては、キー情報が記憶されていない状態となる。キー情報は、個人番号と、個人情報とを関連付けるために用いられる。また、キー情報は、企業で使用されている既存サーバに通知され、既存サーバが個人番号管理装置１に個人番号の取得要求を行う際に用いられる。
【００２５】
図４は、個人番号記憶部１１２に記憶されている情報の一例を示す図である。図４に示すように、個人番号記憶部１１２は、企業の従業員等に対して付与された個人番号と、カード画像と、キー情報とを関連付けて記憶する。
なお、個人情報記憶部１１１は、個人情報として、企業の従業員等の家族の個人情報を記憶してもよい。また、個人番号記憶部１１２は、企業の従業員等の家族に対して付与された個人番号を記憶してもよい。
【００２６】
また、本実施形態において、個人番号管理装置１は、キー情報に複数の情報（例えば、個人番号及びカード画像）を関連付けて記憶したが、これに限らない。例えば、キー情報に一の情報のみを関連付けて記憶させてもよい。この場合、例えば、個人番号記憶部１１２は、キー情報と個人番号とを関連付けた情報と、キー情報とカード画像とを関連付けた情報とから構成されてもよい。
【００２７】
制御部１２は、例えばＣＰＵである。制御部１２は、記憶部１１に記憶されている各種プログラムや、通信ネットワークを介して外部機器から取得したプログラムを実行することにより、個人番号管理装置１に係る機能を制御する。制御部１２は、入力受付部１２１と、取得部１２２と、判定部１２３と、表示制御部１２４と、番号入力部１２５と、申請受付部１２６と、承認受付部１２７と、記憶制御部１２８とを備える。
【００２８】
［個人番号の登録申請までの処理］
続いて、制御部１２が備える機能の詳細についてフローチャートを参照しながら説明する。まず、個人番号管理装置１がユーザ端末２から個人番号の登録申請を受け付けるまでの処理に係る機能の詳細について説明する。図５は、個人番号管理装置１が、個人番号の登録申請を受け付けるまでの処理の流れを示すフローチャートである。
【００２９】
まず、入力受付部１２１は、ユーザ端末２から、個人番号の登録要求を受け付けたことに応じて、個人番号の登録画面を生成し、当該登録画面をユーザ端末２に送信する（Ｓ１）。例えば、個人番号の登録要求には、ユーザ端末２のユーザの社員番号が含まれており、入力受付部１２１は、個人情報記憶部１１１を参照し、当該社員番号に関連する個人情報を特定する。そして、入力受付部１２１は、特定した個人情報の少なくとも一部を表示するとともに、個人番号の入力領域と、個人番号カードを示すカード画像の指定を受け付けるカード画像選択ボタンと、本人確認画像の指定を受け付ける確認画像選択ボタンとを含む登録画面を生成する。なお、登録画面は、例えばウェブブラウザを介してユーザ端末２に表示されるものとする。
【００３０】
図６Ａは、個人番号の登録画面の一例を示す図である。登録画面には個人番号の入力領域として、４ケタの数字の入力を受け付ける３つの入力領域が表示されていることが確認できる。入力受付部１２１は、ユーザ端末２の表示部に表示される登録画面に設けられている個人番号の入力領域を介してユーザの個人番号の入力を受け付ける（Ｓ２）。
【００３１】
続いて、取得部１２２は、入力領域を介さずにユーザの個人番号を取得する。具体的には、取得部１２２は、登録画面を介して、ユーザ端末２から、個人番号が表示されたカードを示すカード画像を取得する（Ｓ３）。例えば、登録画面において、「個人番号カード」との表示の右側に設けられ、「ファイル選択」と表示されているカード画像選択ボタンが押下されると、カード画像の指定を受け付ける画面がポップアップ表示される。ユーザ端末２のユーザは、個人番号カードをスキャンしたり撮影したりすることで得られる画像ファイルを指定することにより、カード画像を指定することができる。取得部１２２は、カード画像が指定されると、指定されたカード画像をユーザ端末２から受信し、カード画像を取得する。
【００３２】
また、取得部１２２は、登録画面を介して、ユーザ端末２から、本人確認画像を取得する。例えば、登録画面において、「本人確認書類」との表示の右側に設けられ、「ファイル選択」と表示されている確認画像選択ボタンが押下されると、本人確認画像の指定を受け付ける画面がポップアップ表示される。ユーザ端末２のユーザは、本人確認書類をスキャンしたり撮影したりすることで得られる画像ファイルを指定することにより、本人確認画像を指定することができる。取得部１２２は、本人確認画像が指定されると、指定された本人確認画像をユーザ端末２から受信し、本人確認画像を取得する。
【００３３】
続いて、取得部１２２は、取得したカード画像に表示されている個人番号を光学文字認識処理によって読み取る（Ｓ４）。例えば、個人番号カードにおいて、個人番号が表示されている領域は予め定められていることから、取得部１２２は、カード画像の画像解析を行い、当該領域を特定する。そして、取得部１２２は、特定した領域に対して光学文字認識処理を行い、個人番号を読み取る。ここで、カード画像の解像度が小さい場合には、取得部１２２が個人番号を読み取れないこともある。取得部１２２は、個人番号を読み取れない場合、エラー情報を判定部１２３に出力する。
【００３４】
続いて、判定部１２３は、取得部１２２がカード画像から個人番号を読み取れたか否かを判定する（Ｓ５）。判定部１２３は、個人番号を読み取れたと判定すると、Ｓ６に処理を移し、個人番号を読み取れないと判定すると、Ｓ１０に処理を移す。
【００３５】
Ｓ６において、判定部１２３は、取得部１２２が読み取った個人番号に基づいてチェックディジットを算出する。続いて、判定部１２３は、算出したチェックディジットに基づいて、取得部１２２が読み取った個人番号が正しいか否かを判定する（Ｓ７）。具体的には、個人番号の１２桁目には、個人番号が正しいか否かを判定するためのチェックディジットが格納されており、判定部１２３は、取得部１２２が読み取った個人番号の１桁目から１１桁目までの数値に基づいてチェックディジットを算出する。そして、判定部１２３は、算出したチェックディジットと、個人番号の１２桁目に格納されているチェックディジットとが一致する場合に、読み取った個人番号が正しいと判定し、一致しない場合に、読み取った個人番号が正しくないと判定する。
【００３６】
判定部１２３は、読み取った個人番号が正しいと判定すると、Ｓ８に処理を移し、読み取った個人番号が正しくないと判定すると、Ｓ１０に処理を移す。ここで、番号入力部１２５は、読み取った個人番号が正しいと判定部１２３が判定した場合において、入力領域に個人番号が入力されていないとき、入力領域に取得部１２２が読み取った個人番号を入力する。このようにすることで、ユーザ端末２のユーザによる個人番号の入力を省略することができる。また、番号入力部１２５は、読み取った個人番号が正しいと判定された場合に限定して個人番号を入力するので、精度よく個人番号を入力することができる。
【００３７】
なお、読み取った個人番号が正しくないと判定部１２３が判定した場合、表示制御部１２４が、カード画像が不鮮明である旨を示す警告情報をユーザ端末２に表示されている登録画面に表示させてもよい。
【００３８】
Ｓ８において、判定部１２３は、２つの個人番号（Ｓ２において受け付けた個人番号、及びＳ４において読み取った個人番号）が異なるか否かを判定する。判定部１２３は、２つの個人番号が異なると判定すると、Ｓ９に処理を移し、２つの個人番号が一致すると判定すると、Ｓ１０に処理を移す。
【００３９】
Ｓ９において、表示制御部１２４は、入力受付部１２１が入力領域を介して受け付けた個人番号に誤りがある可能性を示す警告情報をユーザ端末２の表示部に表示されている登録画面に表示させる（Ｓ９）。
【００４０】
図６Ｂは、登録画面に警告情報が表示された例を示す図である。図６Ｂに示す例では、「個人番号の入力が誤っている可能性があります。」と記載された警告情報Ａ１が表示されていることが確認できる。これにより、ユーザ端末２のユーザは、個人番号の入力が誤っている可能性があることを認識し、必要に応じて入力領域に入力されている個人番号を修正することができる。
【００４１】
続いて、申請受付部１２６は、ユーザ端末２から、入力領域に入力された個人番号と、取得部１２２が取得したカード画像と、取得部１２２が取得した本人確認画像との登録申請を受け付けたか否かを判定する（Ｓ１０）。具体的には、申請受付部１２６は、登録画面に設けられている申請ボタンが押下されたか否かを判定することにより、登録申請を受け付けたか否かを判定する。申請受付部１２６は、登録申請を受け付けたと判定すると、本フローチャートに係る処理を終了し、登録申請を受け付けていないと判定すると、Ｓ２に処理を移す。
【００４２】
［個人番号の登録申請を受け付けてから個人番号が記憶されるまでの処理］
承認受付部１２７は、個人番号の登録申請を受け付けたことに応じて、入力領域に入力された個人番号、カード画像、及び本人確認画像を管理端末３の表示部に表示させ、当該登録申請の承認を受け付ける。記憶制御部１２８は、承認受付部１２７が承認を受け付けたことに応じて、入力領域に入力された個人番号と、取得部１２２が取得したカード画像と、取得部１２２が取得した本人確認画像とを記憶部１１に記憶させる。
【００４３】
以下に、個人番号管理装置１が、個人番号の登録申請を受け付けてから個人番号を記憶するまでの処理に係る機能の詳細について説明する。図７は、個人番号管理装置１が個人番号の登録申請を受け付けてから個人番号を記憶するまでの処理の流れを示すフローチャートである。
【００４４】
まず、承認受付部１２７は、登録が申請された個人番号と、カード画像と、本人確認画像とを含む承認画面を生成する（Ｓ１１）。図８Ａは、承認画面の一例を示す図である。図８Ａに示すように、承認画面には、申請したユーザの個人情報及び個人番号と、カード画像と、本人確認画像と、申請された内容の確認を管理端末３のユーザに促すメッセージＭとが表示されていることが確認できる。また、承認画面には、承認を受け付けて個人番号を登録するための登録ボタンと、申請を却下する却下ボタンとが設けられていることが確認できる。
【００４５】
続いて、承認受付部１２７は、取得部１２２にカード画像からの個人情報の読み取りを試行させ、取得部１２２が個人情報を読み取れたか否かを判定する（Ｓ１２）。承認受付部１２７は、個人情報を読み取れたと判定すると、Ｓ１４に処理を移し、個人情報を読み取れていないと判定すると、Ｓ１３に処理を移す。
【００４６】
表示制御部１２４は、取得部１２２がカード画像に表示されている個人番号を読み取れた場合と、個人番号を読み取れなかった場合とで、登録申請の承認の受付時に管理端末３の表示部に表示させる情報を変化させる。
【００４７】
具体的には、Ｓ１３において、表示制御部１２４は、図８Ｂに示すように、メッセージＭに加えて、個人情報を読み取れていない旨を示す警告情報Ａ２を承認画面に表示させる。これにより、管理端末３のユーザは、カード画像に示される個人番号と、入力領域に入力された個人番号との照合が行われていないことを認識し、図８Ａに示される承認画面の状態に比べて、申請内容を慎重に確認することとなる。
【００４８】
なお、表示制御部１２４は、承認ボタンが押下されたことに応じて、取得部１２２が個人番号を読み取れていないことを許容するか否かを受け付けるボタンを含む確認画面を管理端末３の表示部に表示させてもよい。また、表示制御部１２４は、確認画面にカード画像を表示させたり、管理端末３からカード画像に示される個人番号の入力を受け付ける入力欄を表示させたりしてもよい。この場合、個人番号管理装置１は、許容することを示すボタンが押下されたことに応じて個人番号を個人番号記憶部１１２に記憶させる。また、個人番号管理装置１は、管理端末３のユーザから受け付けた個人番号と、ユーザ端末２のユーザから受け付けた個人番号とが一致する場合に、個人番号を個人番号記憶部１１２に記憶させてもよい。このようにすることで、管理端末３のユーザに、個人番号が読み取れていないことを確実に認識させたうえで承認を受け付けることができる。
Ｓ１３の処理が終了すると、表示制御部１２４は、Ｓ１９に処理を移す。
【００４９】
Ｓ１４において、承認受付部１２７は、２つの個人番号、すなわち、入力領域に入力された個人番号及び取得部１２２が読み取った個人番号のチェックディジットを算出する。そして、承認受付部１２７は、入力領域に入力された個人番号から算出したチェックディジットと、当該個人番号に格納されているチェックディジットとが一致するか否かを判定することにより、当該個人番号が正しいか否かを判定する（Ｓ１５）。承認受付部１２７は、入力された個人番号が正しいと判定すると、Ｓ１６に処理を移し、入力された個人番号が正しくないと判定すると、Ｓ１８に処理を移す。
【００５０】
Ｓ１６において、承認受付部１２７は、読み取った個人番号から算出したチェックディジットと、当該個人番号に格納されているチェックディジットとが一致するか否かを判定することにより、当該個人番号が正しいか否かを判定する。承認受付部１２７は、読み取った個人番号が正しいと判定すると、Ｓ１７に処理を移し、読み取った個人番号が正しくないと判定すると、Ｓ１９に処理を移す。ここで、承認受付部１２７は、読み取った個人番号が正しくないと判定した場合に、カード画像が不鮮明であり個人番号を正しく読み取れなかった可能性がある旨を示す警告情報を承認画面に表示してもよい。
【００５１】
Ｓ１７において、承認受付部１２７は、２つの個人番号が異なるか否かを判定する。承認受付部１２７は、２つの個人番号が異なると判定すると、Ｓ１８に処理を移し、２つの個人番号が一致すると判定すると、Ｓ１９に処理を移す。
【００５２】
Ｓ１８において、表示制御部１２４は、図８Ｃに示すように、メッセージＭに加えて、入力領域に入力された個人番号が誤っている可能性がある旨を示す警告情報Ａ３を承認画面に表示させる。これにより、管理端末３のユーザは、当該承認画面を確認することで、力領域に入力された個人番号が誤っている可能性があることを認識し、図８Ａに示される承認画面の状態に比べて、申請内容を慎重に確認することとなる。Ｓ１８の処理が終了すると、表示制御部１２４は、Ｓ１９に処理を移す。
【００５３】
Ｓ１９において、表示制御部１２４は、承認画面を管理端末３に送信する。
Ｓ２０において、承認受付部１２７は、却下ボタンが押下されたことにより、個人番号の登録申請の却下が受け付けられたかを判定する。承認受付部１２７は、登録申請の却下が受け付けられたと判定すると、登録申請が却下された旨を示す却下情報を、登録申請を行ったユーザ端末２に通知する（Ｓ２１）。ここで、承認受付部１２７は、登録申請の却下が受け付けられたと判定した場合に、管理端末３の表示部に、却下理由の入力を受け付ける入力画面を表示させてもよい。そして、承認受付部１２７は、入力された却下理由を含む却下情報を、登録申請を行ったユーザ端末２に通知してもよい。このようにすることで、ユーザ端末２のユーザは、却下理由に対応して個人情報やカード画像等を修正することができる。
承認受付部１２７は、登録申請の却下を受け付けていないと判定すると、Ｓ２２に処理を移す。
【００５４】
Ｓ２２において、承認受付部１２７は、承認ボタンが押下されたことにより、登録申請の承認が受け付けられたかを判定する。登録申請の承認が受け付けられたと承認受付部１２７が判定すると、記憶制御部１２８は、キー情報を生成し、当該キー情報と、個人番号と、カード画像とを関連付けて個人番号記憶部１１２に記憶させる（Ｓ２３）。また、記憶制御部１２８は、個人情報記憶部１１１を参照し、登録申請を行ったユーザの個人情報に関連付けて、当該キー情報と、本人確認画像とを記憶させる。なお、記憶制御部１２８は、個人番号の登録が完了した旨を示す完了情報を、登録申請を行ったユーザ端末２に通知してもよい。
【００５５】
［本実施形態における効果］
以上説明した通り、本実施形態に係る個人番号管理装置１は、ユーザ端末２の表示部に表示される入力領域を介して入力を受け付けた個人番号と、入力領域を介さずに取得した個人番号とが異なるか否かを判定し、それぞれの個人番号が異なると判定すると、入力領域を介して受け付けた個人番号に誤りがある可能性を示す警告情報をユーザ端末２の表示部に表示させる。このようにすることで、個人番号管理装置１は、個人番号の入力が誤っている可能性があることをユーザ端末２のユーザに認識させることができる。これにより、ユーザ端末２のユーザは、個人番号を修正することとなるので、個人番号管理装置１は、個人番号を精度よく取得することができる。
【００５６】
また、個人番号管理装置１は、読み取った個人番号に基づいてチェックディジットを算出し、当該チェックディジットと、当該個人番号に格納されているチェックディジットとに基づいて当該個人番号が正しいと判定した場合に、入力領域を介して受け付けた個人番号と、読み取った個人番号とが異なるか否かを判定する。このようにすることで、個人番号管理装置１は、読み取った個人番号が正しいと判定したときに限定して、２つの個人番号が異なるか否かを判定することができる。
【００５７】
また、個人番号管理装置１は、管理端末３のユーザから承認を受け付けたことに応じて、入力領域に入力された個人番号と、取得したカード画像とを記憶部１１に記憶させる。このようにすることで、個人番号管理装置１は、ユーザ端末２のユーザが単独で個人番号を記憶部１１に記憶させる場合に比べて、個人番号が誤って登録されてしまうことを抑制することができる。
【００５８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５９】
例えば、上述の実施形態では、個人番号管理装置１が、入力画面に対して警告情報を表示させたが、これに限らない。例えば、上述の実施形態では、個人番号管理装置１の取得部１２２が、カード画像を取得し、当該カード番号から読み取った個人番号と、入力受付部１２１が受け付けた個人番号とが異なるか否かを判定する例について説明を行ったが、これに限らない。
【００６０】
例えば、個人番号管理装置１は、カード画像を取得する代わりに、従業員等が、事前に社員番号（ユーザ識別情報）と、個人番号とを記入した用紙をスキャニング又は撮影した画像を予め取得して当該画像から個人番号及びユーザ識別情報を読み取り、当該個人番号及びユーザ識別情報を記憶部１１にさせてもよい。また、個人番号管理装置１は、ユーザ識別情報と、個人番号とが記載されたメールやファイルを取得することにより、個人番号及びユーザ識別情報を取得し、当該個人番号及びユーザ識別情報を記憶部１１にさせてもよい。そして、個人番号管理装置１は、入力受付部１２１が登録画面から個人番号を受け付けたことに応じて、当該個人番号と、取得部１２２によって記憶された個人番号とが異なるか否かを判定してもよい。
【００６１】
また、個人番号管理装置１の入力受付部１２１、取得部１２２、判定部１２３、表示制御部１２４、番号入力部１２５、及び申請受付部１２６をユーザ端末２が備え、ユーザ端末２が、入力画面に対して警告情報を表示したり、入力領域に個人番号を入力したり、個人番号の登録申請を受け付けたりしてもよい。
【００６２】
また、個人番号管理装置１が、コンピュータを入力受付部１２１、取得部１２２、判定部１２３、表示制御部１２４、番号入力部１２５、及び申請受付部１２６として機能させるプログラムをユーザ端末２に送信し、ユーザ端末２の制御部を入力受付部１２１、取得部１２２、判定部１２３、表示制御部１２４、番号入力部１２５、及び申請受付部１２６として機能させてもよい。
【符号の説明】
【００６３】
１・・・個人番号管理装置、１１・・・記憶部、１１１・・・個人情報記憶部、１１２・・・個人番号記憶部、１２・・・制御部、１２１・・・入力受付部、１２２・・・取得部、１２３・・・判定部、１２４・・・表示制御部、１２５・・・番号入力部、１２６・・・申請受付部、１２７・・・承認受付部、１２８・・・記憶制御部、２・・・ユーザ端末、３・・・管理端末
【図１】
2017058965.tif 000003
【図２】
2017058965.tif 000004
【図３】
2017058965.tif 000005
【図４】
2017058965.tif 000006
【図５】
2017058965.tif 000007
【図６Ａ】
2017058965.tif 000008
【図６Ｂ】
2017058965.tif 000009
【図７】
2017058965.tif 000010
【図８Ａ】
2017058965.tif 000011
【図８Ｂ】
2017058965.tif 000012
【図８Ｃ】
2017058965.tif 000013